(57)【要約】【課題】かご室内の意匠性の低下を抑えつつ、かご室を形成する開閉可能な開き戸に手摺りを配置した乗りかごを提供することを課題とする。【解決手段】かご室内に配置された手摺りを有するエレベータ用の乗りかごは、かご内壁面を構成する開き戸ＯＤと、手摺り１８を構成し開き戸ＯＤに固定された開き戸持ち手部分１８ｈｍと、手摺り１８を構成し開き戸ＯＤに隣接する乗りかご側板ＫＤに固定された側板一方側持ち手部分１８ｈｋと、開き戸持ち手部分１８ｈｍと側板一方側持ち手部分１８ｈｋとの相互固定、相互固定解除の切り替えを行う切替手段２０と、を備える。そして、相互固定によって開き戸ＯＤが施錠され、相互固定解除によって開き戸ＯＤが解錠される。【選択図】図３
2017206339.tif 000002
【特許請求の範囲】
【請求項１】
かご室内に配置された手摺りを有するエレベータ用の乗りかごであって、
かご内壁面を構成する開き戸と、
前記手摺りを構成し前記開き戸に固定された開き戸手摺り部分と、
前記手摺りを構成し前記開き戸に隣接する乗りかご側板に固定された側板手摺り部分と、
前記開き戸手摺り部分と前記側板手摺り部分との相互固定、相互固定解除の切り替えを行う切替手段と、
を備え、
前記切替手段が前記相互固定に切り替えることによって前記開き戸が施錠され、前記切替手段が前記相互固定解除に切り替えることによって前記開き戸が解錠されることを特徴とする乗りかご。
【請求項２】
かご室内に配置された手摺りを有するエレベータ用の乗りかごであって、
かご内壁面を構成し互いに隣接して観音開きに開閉可能な一方側開き戸および他方側開き戸と、
前記手摺りを構成し前記一方側開き戸に固定された一方側持ち手部分と、
前記手摺りを構成し前記他方側開き戸に固定された他方側持ち手部分と、
前記一方側持ち手部分と前記他方側持ち手部分との相互固定、相互固定解除の切り替えを行う切替手段と、
を備え、
前記切替手段が前記相互固定に切り替えることによって前記一方側開き戸および前記他方側開き戸が施錠され、前記切替手段が前記相互固定解除に切り替えることによって前記一方側開き戸および前記他方側開き戸が解錠されることを特徴とする乗りかご。
【請求項３】
かご室内に配置された手摺りを有するエレベータ用の乗りかごであって、
かご内壁面を構成する開き戸と、
前記手摺りを構成し前記開き戸に固定された開き戸手摺り部分と、
前記手摺りを構成し前記開き戸の一方側に隣接する乗りかご側板に固定された側板一方側手摺り部分と、
前記手摺りを構成し前記開き戸の他方側に隣接する乗りかご側板に固定された側板他方側手摺り部分と、
前記開き戸手摺り部分と前記側板一方側手摺り部分との相互固定、相互固定解除の切り替えを行う切替手段と、
前記開き戸手摺り部分と前記側板他方側手摺り部分とを回動可能なように連結する回動連結手段と、
を備え、
前記切替手段が前記相互固定に切り替えることによって前記開き戸が施錠され、前記切替手段が前記相互固定解除に切り替えることによって前記開き戸が解錠されることを特徴とする乗りかご。
【請求項４】
かご室内に配置された手摺りを有するエレベータ用の乗りかごであって、
かご内壁面を構成する開き戸と、
前記手摺りを構成し前記開き戸に固定された開き戸手摺り部分と、
前記手摺りを構成し前記開き戸の一方側に隣接する乗りかご側板に固定された側板一方側手摺り部分と、
前記開き戸手摺り部分と前記側板一方側手摺り部分とを回動可能なように連結するとともに、回動可能、回動不能の切り替えを行う切替手段と、
を備え、
前記切替手段が前記回動不能に切り替えることによって前記開き戸が施錠され、前記切替手段が前記回動可能に切り替えることによって前記開き戸が解錠されることを特徴とする乗りかご。
【請求項５】
エレベータ用の乗りかごであって、
かご内壁面を構成する開き戸と、
前記開き戸の一方側に隣接する乗りかご側板と前記開き戸の他方側に隣接する乗りかご側板とに固定された手摺りと、
前記手摺りの着脱の切り替え、および、前記開き戸の施錠、解錠の切り替えを行う切替手段と、
を備えており、
前記切替手段は、
前記手摺りを構成する端部ブラケットと前記開き戸に隣接する乗りかご側板の一方である片側側板とを貫通して前記端部ブラケットを前記片側側板に固定する雄ネジと、
かご外側に配置され、前記開き戸が開かれることを規制する回動部材と、
前記雄ネジの回転方向によって前記回動部材の回転方向位置を切り替える切替機構と、
を備え、
前記端部ブラケットを取り付ける方向に前記雄ネジを回転させると、前記切替機構によって前記回動部材が前記片側側板の裏面と前記開き戸の裏面とに当接して、前記開き戸が施錠され、
前記端部ブラケットを取り外す方向に前記雄ネジを回転させると、前記切替機構によって前記回動部材が前記開き戸の裏面側に位置しなくなり、前記開き戸が解錠されることを特徴とする乗りかご。
【発明の詳細な説明】
【技術分野】
【０００１】
本発明の実施形態は、エレベータの乗りかごに関する。
【背景技術】
【０００２】
エレベータの昇降路内では、乗りかごがレール等に案内されて昇降動するようになっている。
【０００３】
この乗りかごでは、お年寄りや肢体不自由者などへ配慮し、利用者の転倒防止対策や腰掛用に側板へ手摺りを備え付けることが多々ある。また、側板へ大型のモニター付きミラーを配置する場合、メンテナンス時にモニター付きミラーの裏側へ作業員がアクセスできるように乗りかごに開閉機構を設けることもある。
【０００４】
その一方で、側板に開閉可能な開き戸を配置し、この開き戸の外側に、かご室内の有効面積を増やすために大型荷物や急病人の搬送用にトランクを設けたり、この開き戸を、緊急停止時に利用者の出入口となる非常救出口にしたりする仕様の乗りかごも用いられている。
【先行技術文献】
【特許文献】
【０００５】
【特許文献１】特開2009-242076号公報
【特許文献２】特開2007-84218号公報
【発明の概要】
【発明が解決しようとする課題】
【０００６】
しかしながら、乗りかごの側板に開閉可能な開き戸を配置する仕様では、開き戸とこの開き戸に隣接する側板とに跨ってかご室内側に手摺りを配置する構成にする仕様にすることは困難である。
【０００７】
また、乗りかごの側板に開閉可能な開き戸を配置する仕様では、意図せずに開くことを防止するために施錠機構を備え付ける必要があり、かご室内の側板に鍵穴を設けることによって意匠性が低下するという難点もある。
【０００８】
本発明は上記事情に鑑みてなされたものであり、かご室内の意匠性の低下を抑えつつ、かご室を形成する開閉可能な開き戸に手摺りを配置した乗りかごを提供することを課題とする。
【課題を解決するための手段】
【０００９】
本発明の実施形態に係る乗りかごは、かご室内に配置された手摺りを有するエレベータ用の乗りかごである。乗りかごは、かご内壁面を構成する開き戸と、手摺りを構成し開き戸に固定された開き戸手摺り部分と、手摺りを構成し開き戸に隣接する乗りかご側板に固定された側板手摺り部分と、開き戸手摺り部分と側板手摺り部分との相互固定、相互固定解除の切り替えを行う切替手段と、を備える。そして、切替手段が相互固定に切り替えることによって開き戸が施錠され、切替手段が相互固定解除に切り替えることによって開き戸が解錠される。
【図面の簡単な説明】
【００１０】
【図１】（ａ）および（ｂ）は、それぞれ、第１実施形態で、乗りかごのモニター付きミラーに映像を表示していない状態、および、映像を表示している状態を示す説明図。
【図２】（ａ）および（ｂ）は、それぞれ、第１実施形態で、モニター付きミラーが施錠されている状態、解錠されて開かれている状態、を説明する斜視図。
【図３】第１実施形態で、モニター付きミラーの開閉を説明する平面図。
【図４】（ａ）および（ｂ）は、それぞれ、第２実施形態で、モニター付きミラーが施錠されている状態、解錠されて開かれている状態、を説明する斜視図。
【図５】第２実施形態で、モニター付きミラーの開閉を説明する平面図。
【図６】（ａ）および（ｂ）は、それぞれ、第３実施形態で、モニター付きミラーが施錠されている状態、解錠されて開かれている状態、を説明する斜視図。
【図７】第３実施形態で、モニター付きミラーの開閉を説明する平面図。
【図８】（ａ）および（ｂ）は、それぞれ、第４実施形態で、モニター付きミラーが施錠されている状態、解錠されて開かれている状態、を説明する斜視図。
【図９】（ａ）および（ｂ）は、それぞれ、第５実施形態で、モニター付きミラーが施錠されている状態を説明する正面図および裏面図。
【図１０】（ａ）〜（ｃ）は、それぞれ、第５実施形態で、モニター付きミラーが施錠されることを説明する平面断面図、展開図、および、矢視Ｑから見た規制部材の側面図。
【発明を実施するための形態】
【００１１】
以下、添付図面を参照して、実施形態に係る乗りかごを説明する。なお、第２実施形態以下では、第１実施形態で説明した構成要素と同様の構成要素には同じ符号を付してその説明を省略する。
【００１２】
［第１実施形態］
まず、第１実施形態について説明する。図１〜図３に示すように、本実施形態では、エレベータを構成する乗りかご１０は、かご内壁面１４を構成する開き戸ＯＤとして配置されたモニター付きミラー１６と、手摺り１８とを備える。手摺り１８は、モニター付きミラー１６に隣接する乗りかご側板ＫＤ、ＮＤとモニター付きミラー１６とに固定（継合）されている。本実施形態では、モニター付きミラー１６は、かご室Ｓの後方側の内壁面の中央部分を形成しており、模様Ｊなどを表示可能になっている。
【００１３】
モニター付きミラー１６は、かご室Ｓの内側へ開くことが可能な開閉機構１６ｒを有している。
【００１４】
また、手摺り１８の持ち手１８ｈは複数に分割されており、持ち手１８ｈは、モニター付きミラー１６のかご内壁面１４に固定されている開き戸持ち手部分１８ｈｍと、モニター付きミラー１６の一方側に隣接する乗りかご側板ＫＤに固定されている側板一方側持ち手部分１８ｈｋと、モニター付きミラー１６の他方側に隣接する乗りかご側板ＮＤに固定されている側板他方側持ち手部分１８ｈｎとで構成される。側板一方側持ち手部分１８ｈｋ、側板他方側持ち手部分１８ｈｎは、それぞれ、乗りかご側板ＫＤおよび乗りかご側板ＮＤに端部ブラケットＥＢＲで固定され、開き戸持ち手部分１８ｈｍは手摺り１８の端部以外を保持する中間ブラケットＭＢＲでモニター付きミラー１６に固定されている。
【００１５】
更に、乗りかご１０は、開き戸持ち手部分１８ｈｍ（開き戸手摺り部分ＨＭ）と側板一方側持ち手部分１８ｈｋ（側板手摺り部分）との相互固定、相互固定解除の切り替えを行う切替手段２０と、開き戸持ち手部分１８ｈｍと側板他方側持ち手部分１８ｈｎ（側板手摺り部分）との相互固定、相互固定解除の切り替えを行う切替手段２２とを備える。なお、本明細書で「相互固定」とは、回動もされないように相互に固定された状態をいう。
【００１６】
切替手段２０は、開き戸持ち手部分端部１８ｈｍ１によってかご室内から見た正面側半分が構成され、側板一方側持ち手部分端部１８ｈｋ１によってかご室内から見た裏面側半分が構成されている。そして切替手段２０では、背面側（かご内壁面側）から正面側に向けて雌ネジＦＳが形成されている。この雌ネジＦＳは側板一方側持ち手部分端部１８ｈｋ１を貫通し、開き戸持ち手部分端部１８ｈｍ１の途中まで形成されて貫通はしていないので、乗りかご１０の乗員からは見えない。そして、Ｌ字状の六角レンチなどを用いて雄ネジＭＳを雌ネジＦＳにねじ係合させることで両者が相互固定され、雄ネジＭＳを取り外して抜くことによって両者の相互固定が解除される。
【００１７】
切替手段２２は、開き戸持ち手部分端部１８ｈｍ２によってかご室内から見た裏面側半分が構成され、側板他方側持ち手部分端部１８ｈｎ２によってかご室内から見た正面側半分が構成されている。そして切替手段２２では、切替手段２０と同様、背面側（かご内壁面側）から正面側に向けて雌ネジＦＳが形成されている。この雌ネジＦＳの側板他方側持ち手部分端部１８ｈｍ２の途中まで形成されており、貫通はしていないので、乗りかご１０の乗員からは見えない。そして、雄ネジＭＳを雌ネジＦＳにねじ係合させることで両者が相互固定され、雄ネジＭＳを取り外して抜くことによって両者の相互固定が解除される。
【００１８】
ここで、本実施形態では、側板他方側持ち手部分１８ｈｎの基端部が回動部１８ｒによって手前側に回動可能に支持されており、モニター付きミラー１６を開く際に側板他方側持ち手部分１８ｈｎを手前へ回動させることで、モニター付きミラー１６の回動を妨げないようになっている。
【００１９】
また、開閉機構１６ｒは、モニター付きミラー１６の上部のうちやや乗りかご側板ＮＤ寄りの位置に、回動により開閉の切り替えを行うための上側回転軸部１６ｒｘおよび下側回転軸部（図示せず）を備えている。
【００２０】
（作用、効果）
以下、本実施形態の作用、効果を説明する。
【００２１】
本実施形態では、通常時では、モニター付きミラー１６は閉じられており、切替手段２０、２２では、それぞれ雄ネジＭＳが取り付けられて相互固定されている。従って、手摺り１８によってモニター付きミラー１６が施錠されている。
【００２２】
この施錠状態では、かご室内の乗員からは雄ネジＭＳが見えないので、このような施錠機構が手摺り１８に配置されても意匠性は損なわれない。
【００２３】
メンテナンス等でモニター付きミラー１６を開く際には、切替手段２０、２２でそれぞれ雄ネジＭＳを取り外すことで、開き戸持ち手部分１８ｈｍと側板一方側持ち手部分１８ｈｋとの相互固定を解除するとともに、および、開き戸持ち手部分１８ｈｍと側板他方側持ち手部分１８ｈｎとの相互固定を解除する。この結果、モニター付きミラー１６が解錠される。そして、持ち手１８ｈ（特に開き戸持ち手部分１８ｈｍ）を作業員等が手前に引くことにより、モニター付きミラー１６を開く（図３の二点鎖線を参照）ことができる。
【００２４】
メンテナンス等の作業が終了して切替手段２０、２２でモニター付きミラー１６を施錠するには、解錠とは逆の手順、すなわち、モニター付きミラー１６を閉じ、切替手段２０、２２でそれぞれ雄ネジＭＳを雌ネジＦＳにねじ係合させることで、開き戸持ち手部分１８ｈｍと側板一方側持ち手部分１８ｈｋとの相互固定、および、開き戸持ち手部分１８ｈｍと側板他方側持ち手部分１８ｈｎとの相互固定を行う。
【００２５】
よって、本実施形態により、かご室内の意匠性の低下を損なうことなく、かご室を形成する開閉可能なモニター付きミラー１６に手摺り１８を配置した乗りかご１０とすることができる。しかも手摺り１８によって施錠機能が得られるので、部品点数の削減の効果も奏される。
【００２６】
［第２実施形態］
次に、第２実施形態を説明する。本実施形態では、図４、図５に示すように、エレベータを構成する乗りかごは、かご内壁面を構成し互いに隣接して観音開き（両開き）に開閉可能な一方側開き戸３６ａおよび他方側開き戸３６ｂと、手摺り３８を構成し一方側開き戸３６ａに固定された一方側持ち手部分３８ｈｍａと、手摺り３８を構成し他方側開き戸３６ｂに固定された他方側持ち手部分３８ｈｍｂと、を備える。一方側開き戸３６ａおよび他方側開き戸３６ｂは、それぞれ、トランク内側の内壁面側にヒンジＧで回動可能に取り付けられている。
【００２７】
更に、乗りかごは、一方側持ち手部分３８ｈｍａと他方側持ち手部分３８ｈｍｂとの相互固定、相互固定解除の切り替えを行う切替手段４０を備える。
【００２８】
また、乗りかごは、一方側開き戸３６ａおよび他方側開き戸３６ｂの背面側にトランク３４を備えている。
【００２９】
本実施形態では、切替手段４０は、かご室内から見た上半分が他方側持ち手部分端部３８ｈｍｂ１によって構成され、かご室内から見た下半分が一方側持ち手部分端部３８ｈｍａ１によって構成されている。そして、切替手段４０の下方側から上方に向けて雌ネジＦＳが形成されている。この雌ネジＦＳは一方側持ち手部分端部３８ｈｍａ１を貫通し、他方側持ち手部分端部３８ｈｍｂ１の途中まで形成されて貫通はしていないので、乗りかごの乗員からは見えない。そして、雄ネジＭＳを雌ネジＦＳにねじ係合させることで両者が相互固定され、雄ネジＭＳを取り外して抜くことによって両者の相互固定が解除される。
【００３０】
本実施形態では、通常時では、一方側開き戸３６ａおよび他方側開き戸３６ｂは閉じられており、切替手段４０では、第１実施形態と同様に雄ネジＭＳが取り付けられ、一方側持ち手部分３８ｈｍａと他方側持ち手部分３８ｈｍｂとが相互固定されている。従って、手摺り３８によって一方側開き戸３６ａおよび他方側開き戸３６ｂが施錠されている。
【００３１】
この施錠状態では、かご室内の乗員からは雄ネジＭＳが見えないので、このような施錠機構が手摺り３８に配置されても意匠性は損なわれない。
【００３２】
トランク３４を使用するために一方側開き戸３６ａおよび他方側開き戸３６ｂを開く際には、雄ネジＭＳを取り外すことで切替手段４０による相互固定が解除され、一方側開き戸３６ａおよび他方側開き戸３６ｂが解錠される。そして、一方側持ち手部分３８ｈｍａおよび他方側持ち手部分３８ｈｍｂを作業員等が手前に引くことにより、一方側開き戸３６ａおよび他方側開き戸３６ｂを開くことができる。
【００３３】
よって、本実施形態により、かご室内の意匠性の低下を損なうことなく、かご室を形成する観音開きで開閉可能な開き戸に手摺り３８を配置した乗りかごとすることができる。しかも手摺り３８によって施錠機能が得られるので、部品点数の削減の効果も奏される。
【００３４】
［第３実施形態］
次に、第３実施形態を説明する。図６、図７に示すように、本実施形態では、エレベータを構成する乗りかごは、かご内壁面を構成するモニター付きミラー５６（開き戸）と、手摺り５８とを備える。手摺り５８は、モニター付きミラー５６に隣接する乗りかご側板ＫＤ、ＮＤとモニター付きミラー５６とに固定されている。
【００３５】
また、手摺り５８の持ち手５８ｈは複数に分割されており、持ち手５８ｈは、モニター付きミラー５６に固定されている開き戸持ち手部分５８ｈｍ（開き戸手摺り部分）と、モニター付きミラー５６の一方側に隣接する乗りかご側板ＫＤに固定されている側板一方側持ち手部分５８ｈｋ（側板一方側手摺り部分）と、モニター付きミラー５６の他方側に隣接する乗りかご側板ＮＤに固定されている側板他方側持ち手部分５８ｈｎ（側板他方側手摺り部分）と、で構成されている。
【００３６】
更に、乗りかごは、開き戸持ち手部分５８ｈｍと側板一方側持ち手部分５８ｈｋとの相互固定、相互固定解除の切り替えを行う切替手段６０を備える。切替手段６０は、第２実施形態で説明した切替手段４０と同様の構成である。
【００３７】
また、乗りかごは、開き戸持ち手部分５８ｈｍと側板他方側持ち手部分５８ｈｎとの相互に回動可能なように連結する回動連結手段６２を備える。
【００３８】
本実施形態では、通常時では、モニター付きミラー５６は閉じられており、切替手段６０では、開き戸持ち手部分端部と側板一方側持ち手部分端部とが雄ネジＭＳによって相互固定されている。従って、手摺り５８によってモニター付きミラー５６が施錠されている。施錠状態では、かご室内の乗員からは雄ネジＭＳが見えないので、このような施錠機構が手摺り５８に配置されても意匠性は損なわれない。
【００３９】
モニター付きミラー５６を開く際には、雄ネジＭＳを取り外すことで、開き戸持ち手部分５８ｈｍと側板一方側持ち手部分５８ｈｋとの連結が解除され、モニター付きミラー５６が解錠される。そして、開き戸持ち手部分５８ｈｍを作業員等が手前に引くことにより、モニター付きミラー５６が回動連結手段６２で支えられつつかご室内側へ開かれる。
【００４０】
よって、かご室内の意匠性の低下を損なうことなく、かご室を形成する開閉可能なモニター付きミラー５６に手摺り５８を配置した乗りかごとすることができる。しかも手摺り５８によって施錠機能が得られるので、部品点数の削減の効果も奏される。
【００４１】
なお、本実施形態では、切替手段６０が、開き戸持ち手部分５８ｈｍと側板一方側持ち手部分５８ｈｋとの相互固定、相互固定解除の切り替えを行う例で説明したが、切替手段６０は、持ち手５８ｈの端部と乗りかご側板ＫＤに固定され持ち手５８ｈの端部を保持する端部ブラケットＥＢＲとの相互固定、相互固定解除の切り替えを行う構成であってもよい。
【００４２】
［第４実施形態］
次に、第４実施形態を説明する。図８に示すように、本実施形態では、エレベータを構成する乗りかごは、かご内壁面を構成するモニター付きミラー７６（開き戸）を備える。また、乗りかごは、モニター付きミラー７６とモニター付きミラー７６に隣接する乗りかご側板ＰＤ１とに固定されている手摺り７８を備える。
【００４３】
手摺り７８の持ち手７８ｈは、モニター付きミラー７６に固定された開き戸持ち手部分７８ｈｍ（開き戸手摺り部分）と、モニター付きミラー７６の一方側に隣接する乗りかご側板ＰＤ１に固定された側板一方側持ち手部分７８ｈｎ（側板一方側手摺り部分）と、で構成される。なお、図８では、モニター付きミラー７６とは反対側で乗りかご側板ＰＤ１に隣接する乗りかご側板ＰＤ２が配置され、側板一方側持ち手部分７８ｈｎが乗りかご側板ＰＤ２にまで延びて乗りかご側板ＰＤ２にも固定されている例で描いている。
【００４４】
また、乗りかごは、開き戸持ち手部分７８ｈｍと側板一方側持ち手部分７８ｈｎとを相互に連結するとともに回動可能、回動不能の切り替えを行う切替手段８０を備える。
【００４５】
本実施形態では、通常時では、モニター付きミラー７６は閉じられ、切替手段８０は回動不能に切り替えられている。従って、手摺り７８によってモニター付きミラー７６が施錠されている。
【００４６】
モニター付きミラー７６を開く際には、切替手段８０を回動可能に切り替えることで、開き戸持ち手部分７８ｈｍと側板一方側持ち手部分７８ｈｎとが回動可能に連結された状態になり、モニター付きミラー７６が解錠される。そして、開き戸持ち手部分７８ｈｍを作業員等が手前に引くことにより、モニター付きミラー７６をかご室内側へ開くことができる。
【００４７】
よって、本実施形態により、かご室内の意匠性の低下を損なうことなく、かご室を形成する開閉可能なモニター付きミラー７６に手摺り７８を配置した乗りかごとすることができる。しかも手摺り７８によって施錠機能が得られるとともに、第１〜第３実施形態のように雄ネジで固定する必要がなくなるので、部品点数の削減の効果が増大するとともに、施錠、解錠の切り替えを短時間で容易に行うことができるという効果も奏する。
【００４８】
なお、図８の一点鎖線で示すように、本実施形態では、中間ブラケットＭＢＲに切替手段８０が設けられるように中間ブラケットＭＢＲの配置位置を変更してもよい。これにより、モニター付きミラー７６の重量が大きくても十分な保持力でモニター付きミラー７６を支えることができる。
【００４９】
［第５実施形態］
次に、第５実施形態を説明する。図９、図１０に示すように、本実施形態では、エレベータを構成する乗りかごは、かご内壁面を構成するモニター付きミラー８６（開き戸）を備える。また乗りかごは手摺り８８を備えており、この手摺り８８は、モニター付きミラー８６の一方側に隣接する乗りかご側板ＫＤと、モニター付きミラー８６の他方側に隣接する乗りかご側板ＮＤと、に固定されている。
【００５０】
更に乗りかごは、手摺り８８の着脱の切り替え、および、モニター付きミラー８６の施錠、解錠の切り替えを行う切替手段９０を備える。
【００５１】
切替手段９０は、乗りかご側板ＮＤの裏面側に配置された手摺り裏打ち板９２に溶接で固定された中空カラー９４と、中空カラー９４が内周側に圧入されることで中空カラー９４に嵌合している軸受９６（ベアリング）とを備える。
【００５２】
また、切替手段９０はハンドル状の回動部材９８を有している。そして、この回動部材９８の取っ手９８ｈから折れ曲がって軸受９６と嵌合する接続部９８ｃは、軸受９６の外周側が圧入される軸受収容凹部９８ｄを有している。そして、乗りかご側板ＮＤに固定される端部ブラケットＥＢＲと乗りかご側板ＮＤとを貫通する雄ネジ挿通孔Ｈが形成されており、軸受収容凹部９８ｄの中央部には、雄ネジ挿通孔Ｈを挿通した雄ネジ（ボルトネジ）ＭＳがネジ係合する雌ネジＦＳが形成されている。
【００５３】
更に切替手段９０は、回動部材９８の回転を規制する規制部材１００を、モニター付きミラー８６の裏面側の所定位置に備えている。この規制部材１００は、回動部材９８が上方からあるいは下方から当接するストッパ部１００ｓを備えている。
【００５４】
この構成により、雄ネジＭＳの回転方向によって回動部材９８の回転方向位置を切り替える切替機構１０２が形成されている。
【００５５】
本実施形態では、切替手段９０をモニター付きミラー８６の裏面側に設置する際、予め、手摺り裏打ち板９２に中空カラー９４を溶接で固定しておく。そして、手摺り８８をモニター付きミラー８６のかご内壁面側の設置位置にまで移動し、雄ネジＭＳを雄ネジ挿通孔Ｈに挿通させ更に中空カラー９４を挿通させる（図１０（ｂ）参照）
そして、軸受９６に雄ネジＭＳを挿通させつつ軸受９６を中空カラー９４に当接させる。更に、回動部材９８の軸受収容凹部９８ｄを軸受９６に向けて移動させることで回動部材９８の雌ネジＦＳに雄ネジＭＳの先端部を当接させる。そして、かご室側から雄ネジＭＳを締め付ける方向に回転する。
【００５６】
この結果、雄ネジＭＳと雌ネジＦＳとのねじ係合が開始し、更に、回動部材９８の取っ手９８ｈが雄ネジＭＳの回転方向に回転し、規制部材１００のストッパ部１００ｓに上方から当接して回転が規制される。この回転方向位置で規制された状態で雄ネジＭＳが更に回転されていくことにより、回動部材９８および軸受９６がモニター付きミラー８６側に近づいていき、軸受９６が中空カラー９４に押圧される。そして、軸受９６の内周側が中空カラー９４の外周側に嵌合するとともに、軸受９６の外周側が軸受収容凹部９８ｄに嵌合される。この結果、回動部材９８の取っ手９８ｈが規制部材１００とモニター付きミラー８６の裏面とに当接した状態でモニター付きミラー８６の裏面側に位置しており、モニター付きミラー８６が施錠された状態の切替手段９０が組み立てられる。この状態では、モニター付きミラー８６は上側回動軸部８６ｒｐ、下側回動軸部８６ｒｑの回りに回動不能となっている。
【００５７】
モニター付きミラー８６を解錠するには、雄ネジＭＳを施錠するときとは逆方向（ネジ係合を外す方向）に回転させる。この結果、雄ネジＭＳと雌ネジＦＳとのねじ係合解除が開始し、更に、回動部材９８が雄ネジＭＳの回転方向に回転しストッパ部１００ｓに下方から当接して回転が規制される。この回転方向位置で規制された状態で雄ネジＭＳが更に回転されていくことにより、雄ネジＭＳと回動部材９８の雌ネジＦＳとの係合が解除される。そして、軸受９６によって回動自在に保持されている回動部材９８は、自重により取っ手９８ｈが下がるように回転し、ぶら下がった状態になるが、軸受９６の外周側が接続部９８ｃの軸受収容凹部９８ｄに嵌合しているので、回動部材９８は脱落しない。この結果、取っ手９８ｈはモニター付きミラー８６の裏面側には位置しておらず、モニター付きミラー８６が解錠された状態になる。
【００５８】
そして、作業員が、雄ネジＭＳを抜き、乗りかご側板と手摺り８８とをねじ結合している他の雄ネジを取り外すことで、手摺り８８をかご内壁面から取り外すことができ、モニター付きミラー８６が開くことができる。
【００５９】
この解錠状態から施錠するには、モニター付きミラー８６を閉めて、雄ネジＭＳを雄ネジ挿通孔Ｈから挿通させて雌ネジＦＳにネジ係合させることで施錠状態になる。
【００６０】
本実施形態により、雄ネジＭＳの正転（ネジ係合方向への回転）および反転（ネジ係合解除方向への回転）によって、モニター付きミラー８６の施錠、解錠を切り替えることができる乗りかごとすることができ、開閉可能なモニター付きミラー８６に手摺り８８を配置した乗りかごとすることができる。しかも手摺り８８によって施錠機能が得られるので、部品点数の削減の効果も奏される。
【００６１】
なお、乗りかご１０は、雄ネジＭＳや他の雄ネジの頭部を開閉自在に覆う蓋を備えていてもよい。これにより、本実施形態で奏される効果に加え、乗員から雄ネジＭＳの頭部を見えなくすることができ、意匠性が向上するという効果も奏される。
【００６２】
以上、いくつかの実施形態を説明したが、これらの実施形態は、例として提示したものであり、発明の範囲はそれらに限定することは意図していない。例えば、これら実施形態では、開き戸がモニター付きミラーやトランク開閉用である例で説明したが、開き戸がモニター付きミラー以外やトランク開閉用以外のものであっても同様の効果を奏することができる。また、相互固定、相互固定解除の切り替えを、雄ネジＭＳと雌ネジＦＳとのネジ係合、ネジ係合解除によって行うことで説明したが、雌ネジに代えて鍵穴を設け、鍵を鍵穴に差し込んで切り替える構成にしてもよい。
【００６３】
これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６４】
１０…乗りかご、１４…かご内壁面、１６…モニター付きミラー、１６ｒ…開閉機構、１６ｒｘ…上側回転軸部、１８…手摺り、１８ｈ…持ち手、１８ｈｍ…開き戸持ち手部分（開き戸手摺り部分）、１８ｈｋ…側板一方側持ち手部分（側板手摺り部分）、１８ｈｎ…側板他方側持ち手部分（側板手摺り部分）、１８ｈｍ１…開き戸持ち手部分端部、１８ｈｋ１…側板一方側持ち手部分端部、１８ｈｍ２…開き戸持ち手部分端部、１８ｈｎ２…側板他方側持ち手部分端部、１８ｒ…回動部、２０…切替手段、２２…切替手段、３６ａ…一方側開き戸、３６ｂ…他方側開き戸、３８…手摺り、３８ｈｍａ…一方側持ち手部分、３８ｈｍｂ…他方側持ち手部分、３４…トランク、３８ｈｍｂ１…他方側持ち手部分端部、３８ｈｍａ１…一方側持ち手部分端部、４０…切替手段、５６…モニター付きミラー、５８…手摺り、５８ｈ…持ち手、５８ｈｍ…開き戸持ち手部分（開き戸手摺り部分）、５８ｈｋ…側板一方側持ち手部分（側板一方側手摺り部分）、５８ｈｎ…側板他方側持ち手部分（側板他方側手摺り部分）、６０…切替手段、６２…回動連結手段、７６…モニター付きミラー、７８…手摺り、７８ｈ…持ち手、７８ｈｍ…開き戸持ち手部分（開き戸手摺り部分）、７８ｈｎ…側板一方側持ち手部分（側板一方側手摺り部分）、８０…切替手段、８６…モニター付きミラー、８６ｒｐ…上側回動軸部、８６ｒｑ…下側回動軸部、８８…手摺り、９０…切替手段、９２…手摺り裏打ち板、９４…中空カラー、９６…軸受、９８…回動部材、９８ｈ…取っ手、９８ｃ…接続部、９８ｄ…軸受収容凹部、１００…規制部材、１００ｓ…ストッパ部、１０２…切替機構、ＥＢＲ…端部ブラケット、ＭＢＲ…中間ブラケット、Ｇ…ヒンジ、Ｈ…雄ネジ挿通孔、ＦＳ…雌ネジ、ＭＳ…雄ネジ、Ｊ…模様、Ｓ…かご室、ＯＤ…開き戸、ＫＤ…乗りかご側板、ＮＤ…乗りかご側板、ＰＤ１…乗りかご側板、ＰＤ２…乗りかご側板。
【図１】
2017206339.tif 000003
【図２】
2017206339.tif 000004
【図３】
2017206339.tif 000005
【図４】
2017206339.tif 000006
【図５】
2017206339.tif 000007
【図６】
2017206339.tif 000008
【図７】
2017206339.tif 000009
【図８】
2017206339.tif 000010
【図９】
2017206339.tif 000011
【図１０】
2017206339.tif 000012